(57)【要約】【課題】適切に収音することができるマイク、及び収音方法を提供することを目的とする。【解決手段】本実施の形態にかかるマイク２Ｌは、中空部５４を有する円筒部５１と、円筒部５１の外側に配置され、外耳道の内壁面と当接する当接部５２と、を備えたイヤーチップ５０と、円筒部５１と当接部５２との間に取り出されるケーブル９３と、中空部５４に配置され、ケーブル９３と接続されたマイク素子９１と、を備えたものである。【選択図】図３
2019186590.tif 000002
【特許請求の範囲】
【請求項１】
中空部を有する円筒部と、前記円筒部の外側に配置され、外耳道の内壁面と当接する当接部と、開口部と、を備えたイヤーチップと、
前記開口部を通過するケーブルと、
前記中空部に配置され、前記ケーブルと接続されたマイク素子と、を備えたマイク。
【請求項２】
前記円筒部の内周面に接続された支柱部をさらに備え、
前記支柱部に前記マイク素子が取り付けられている請求項１に記載のマイク。
【請求項３】
前記円筒部の内周面には、前記マイク素子を保持する保持部が形成されており、
前記マイク素子が前記保持部に保持されている請求項１に記載のマイク。
【請求項４】
前記当接部が、前記円筒部の先端側を基点として、折り返されたフランジ部になっており、
前記ケーブルが前記当接部と前記円筒部との間の間隙を通って、引き出されている請求項１〜３のいずれか１項に記載のマイク。
【請求項５】
前記当接部が折り返された状態において、前記開口部が前記当接部によって覆われている、又は前記開口部を塞ぐ閉塞部が設けられていることを特徴とする請求項４に記載のマイク。
【請求項６】
請求項１〜５のいずれか１項に記載のマイクを用いた収音方法であって、
前記マイクに取り付けられたイヤホンドライバから出力された音を、前記マイク素子で収音するステップと、
前記マイクに前記イヤホンドライバが取り付けられていない状態で、外部音源から出力された音を、前記マイク素子で収音するステップと、を備えた収音方法。
【発明の詳細な説明】
【技術分野】
【０００１】
本発明は、マイク、及び収音方法に関する。
【背景技術】
【０００２】
例えば、音像定位技術として、ヘッドホンを用いて受聴者の頭部の外側に音像を定位させる頭外定位技術がある。頭外定位技術では、ヘッドホンから耳までの特性をキャンセルし、ステレオスピーカから耳までの４本の特性（空間音響伝達特性）を与えることにより、音像を頭外に定位させている。
【０００３】
頭外定位再生においては、２チャンネル（以下、ｃｈと記載）のスピーカから発した測定信号（インパルス音等）を聴取者本人の耳に設置したマイクロフォン（以下、マイクとする）で録音する。そして、インパルス応答で得られた収音信号に基づいて、処理装置がフィルタを作成する。作成したフィルタを２ｃｈのオーディオ信号に畳み込むことにより、頭外定位再生を実現することができる。
【０００４】
さらに、ヘッドホンから耳までの特性をキャンセルするためのフィルタを生成するために、ヘッドホンから耳元乃至鼓膜までの特性（外耳道伝達関数ＥＣＴＦ、外耳道伝達特性とも言う）を聴取者本人の耳に設置したマイクで測定する。
【０００５】
特許文献１には、ユーザの耳に装着可能なイヤホンマイクが開示されている。特許文献１のイヤホンマイクは、ハウジングとスピーカとイヤーピースとマイクとを備えている。ハウジングは、スピーカを収容する収容部と、マイクが配置される音筒部とを備えている。ハウジングの音筒部が、イヤーピースに取り付けられている。
【先行技術文献】
【特許文献】
【０００６】
【特許文献１】特開２０１５−１２６２６７号公報
【発明の概要】
【発明が解決しようとする課題】
【０００７】
頭外定位処理を行うためには、空間音響伝達特性と外耳道伝達特性の両方について個人特性を測定することが好ましい。特許文献１では、空間音響伝達特性である頭部伝達関数（ＨＲＴＦ）を測定するための測定ユニットと、外耳道伝達特性を測定するための測定ユニットをそれぞれ用意している。つまり、同一形状のイヤーピースを２つ用意して、イヤーピースに対するマイク位置が一致するように、音筒部内にマイクをそれぞれ配置している。
【０００８】
特許文献１では、空間音響伝達特性と外耳道伝達特性とが異なるマイクで測定される。よって、マイクの個体差によって特性が変化してしまうおそれがある。マイク位置を鼓膜により近づけることが望まれる。
【０００９】
本開示は上記の点に鑑みなされたもので、適切に収音することができるマイク、及び収音方法を提供することを目的とする。
【課題を解決するための手段】
【００１０】
本実施形態にかかるマイクは、中空部を有する円筒部と、前記円筒部の外側に配置され、外耳道の内壁面と当接する当接部と、開口部とを備えたイヤーチップと、前記開口部を通過するケーブルと、前記中空部に配置され、前記ケーブルと接続されたマイク素子と、を備えたものである。
【発明の効果】
【００１１】
本開示によれば、適切に収音することができるマイク、及び収音方法を提供することができる。
【図面の簡単な説明】
【００１２】
【図１】本実施の形態に係る頭外定位処理装置を示すブロック図である。
【図２】個人特性を測定する測定構成を示す図である。
【図３】縦配置のマイクの構成を示す図である。
【図４】マイク素子を縦配置で取り付ける様子を説明するための図である。
【図５】横配置のマイクの構成を示す図である。
【図６】マイク素子を横配置で取り付ける様子を説明するための図である。
【図７】折り返し状態のイヤーチップを示す側面図である。
【図８】裏返し状態のイヤーチップを示す側面図である。
【図９】折り返し状態のイヤーチップを鼓膜側から見た斜視図である。
【図１０】折り返し状態のイヤーチップを外耳道の外側から見た斜視図である。
【図１１】裏返し状態のイヤーチップを示す斜視図である。
【図１２】裏返し状態のイヤーチップを示す斜視図である。
【図１３】裏返し状態のイヤーチップを示す斜視図である。
【図１４】縦配置において、イヤーチップにイヤホンドライバを取り付けた状態を示す側面断面図である。
【図１５】横配置において、イヤーチップにイヤホンドライバを取り付けた状態を示す側面断面図である。
【図１６】縦配置において、閉塞部により開口部を塞ぐ構成を示す図である。
【図１７】縦配置において、閉塞部により開口部を塞ぐ構成を示す図である。
【図１８】横配置において、閉塞部により開口部を塞ぐ構成を示す図である。
【図１９】横配置において、閉塞部により開口部を塞ぐ構成を示す図である。
【図２０】縦配置において、ケーブルに取り付けられた閉塞部により開口部を塞ぐ構成を示す図である。
【図２１】縦配置において、ケーブルに取り付けられた閉塞部により開口部を塞ぐ構成を示す図である。
【図２２】縦配置において、ケーブルに取り付けられた閉塞部により開口部を塞ぐ構成を示す図である。
【図２３】横配置において、ケーブルに取り付けられた閉塞部により開口部を塞ぐ構成を示す図である。
【図２４】横配置において、ケーブルに取り付けられた閉塞部により開口部を塞ぐ構成を示す図である。
【図２５】横配置において、ケーブルに取り付けられた閉塞部により開口部を塞ぐ構成を示す図である。
【図２６】縦配置において、接着剤により、開口部５５を閉塞する構成を示す図である。
【図２７】横配置において、接着剤により、開口部５５を閉塞する構成を示す図である。
【図２８】実施の形態２にかかるマイクにおいて、縦配置でマイク素子を取り付けた構成を示す図である。
【図２９】実施の形態２にかかるマイクにおいて、縦配置でマイク素子を取り付けた構成を示す図である。
【図３０】実施の形態２にかかるマイクにおいて、横配置でマイク素子を取り付ける構成を示す図である。
【図３１】実施の形態２にかかるマイクにおいて、横配置でマイク素子を取り付ける構成を示す図である。
【図３２】変形例１にかかるマイクの構成を示す図である。
【図３３】変形例２にかかるマイクの構成を示す図である。
【発明を実施するための形態】
【００１３】
本実施の形態にかかる音像定位処理の概要について説明する。本実施形態にかかる頭外定位処理は、空間音響伝達特性と外耳道伝達特性を用いて頭外定位処理を行うものである。空間音響伝達特性は、スピーカなどの音源から外耳道までの伝達特性である。外耳道伝達特性は、ヘッドホン又はイヤホンのスピーカユニットから鼓膜までの伝達特性である。本実施形態では、ヘッドホン又はイヤホンを装着していない状態での空間音響伝達特性を測定し、かつ、ヘッドホン又はイヤホンを装着した状態での外耳道伝達特性を測定し、それらの測定データを用いて頭外定位処理を実現している。本実施の形態は、ユーザ（受聴者）自身の空間音響伝達特性、又は外耳道伝達特性（以下、まとめて個人特性とする）を測定するためのマイク、及び収音装置の構造を特徴の一つとしている。
【００１４】
本実施の形態にかかる頭外定位処理は、パーソナルコンピュータ、スマートホン、タブレットＰＣなどのユーザ端末で実行される。ユーザ端末は、プロセッサ等の処理手段、メモリやハードディスクなどの記憶手段、液晶モニタ等の表示手段、タッチパネル、ボタン、キーボード、マウスなどの入力手段を有する情報処理装置である。ユーザ端末は、データを送受信する通信機能を有していてもよい。さらに、ユーザ端末には、ヘッドホン又はイヤホンを有する出力手段（出力ユニット）が接続される。
【００１５】
（頭外定位処理装置）
本実施の形態にかかる音場再生装置の一例である頭外定位処理装置１００を図１に示す。図１は、頭外定位処理装置１００のブロック図である。頭外定位処理装置１００は、ヘッドホン４３を装着するユーザＵに対して音場を再生する。そのため、頭外定位処理装置１００は、ＬｃｈとＲｃｈのステレオ入力信号ＸＬ、ＸＲについて、音像定位処理を行う。ＬｃｈとＲｃｈのステレオ入力信号ＸＬ、ＸＲは、ＣＤ（Compact Disc）プレイヤーなどから出力されるアナログのオーディオ再生信号、又は、mp3(MPEG Audio Layer-3)等のデジタルオーディオデータである。なお、オーディオ再生信号、又はデジタルオーディオデータをまとめて再生信号と称する。すなわち、ＬｃｈとＲｃｈのステレオ入力信号ＸＬ、ＸＲが再生信号となっている。
【００１６】
なお、頭外定位処理装置１００は、物理的に単一な装置に限られるものではなく、一部の処理が異なる装置で行われてもよい。例えば、一部の処理がパソコンなどにより行われ、残りの処理がヘッドホン４３に内蔵されたＤＳＰ(Digital Signal Processor)などにより行われてもよい。
【００１７】
頭外定位処理装置１００は、頭外定位処理部１０、フィルタ部４１、フィルタ部４２、及びヘッドホン４３を備えている。頭外定位処理部１０、フィルタ部４１、及びフィルタ部４２は、具体的にはプロセッサ等により実現可能である。
【００１８】
頭外定位処理部１０は、畳み込み演算部１１〜１２、２１〜２２、及び加算器２４、２５を備えている。畳み込み演算部１１〜１２、２１〜２２は、空間音響伝達特性を用いた畳み込み処理を行う。頭外定位処理部１０には、ＣＤプレイヤーなどからのステレオ入力信号ＸＬ、ＸＲが入力される。頭外定位処理部１０には、空間音響伝達特性が設定されている。頭外定位処理部１０は、各ｃｈのステレオ入力信号ＸＬ、ＸＲに対し、空間音響伝達特性のフィルタ（以下、空間音響フィルタとも称する）を畳み込む。空間音響伝達特性は被測定者の頭部や耳介で測定した頭部伝達関数ＨＲＴＦでもよいし、ダミーヘッドまたは第三者の頭部伝達関数であってもよい。
【００１９】
４つの空間音響伝達特性Ｈｌｓ、Ｈｌｏ、Ｈｒｏ、Ｈｒｓを１セットとしたものを空間音響伝達関数とする。畳み込み演算部１１、１２、２１、２２で畳み込みに用いられるデータが空間音響フィルタとなる。空間音響伝達特性Ｈｌｓ、Ｈｌｏ、Ｈｒｏ、Ｈｒｓを所定のフィルタ長で切り出すことで、空間音響フィルタが生成される。
【００２０】
空間音響伝達特性Ｈｌｓ、Ｈｌｏ、Ｈｒｏ、Ｈｒｓのそれぞれは、インパルス応答測定などにより、事前に取得されている。例えば、ユーザＵが左右の耳にマイクをそれぞれ装着する。ユーザＵの前方に配置された左右のスピーカが、インパルス応答測定を行うための、インパルス音をそれぞれ出力する。そして、スピーカから出力されたインパルス音等の測定信号をマイクで収音する。マイクでの収音信号に基づいて、空間音響伝達特性Ｈｌｓ、Ｈｌｏ、Ｈｒｏ、Ｈｒｓが取得される。左スピーカと左マイクとの間の空間音響伝達特性Ｈｌｓ、左スピーカと右マイクとの間の空間音響伝達特性Ｈｌｏ、右スピーカと左マイクとの間の空間音響伝達特性Ｈｒｏ、右スピーカと右マイクとの間の空間音響伝達特性Ｈｒｓが測定される。
【００２１】
そして、畳み込み演算部１１は、Ｌｃｈのステレオ入力信号ＸＬに対して空間音響伝達特性Ｈｌｓに応じた空間音響フィルタを畳み込む。畳み込み演算部１１は、畳み込み演算データを加算器２４に出力する。畳み込み演算部２１は、Ｒｃｈのステレオ入力信号ＸＲに対して空間音響伝達特性Ｈｒｏに応じた空間音響フィルタを畳み込む。畳み込み演算部２１は、畳み込み演算データを加算器２４に出力する。加算器２４は２つの畳み込み演算データを加算して、フィルタ部４１に出力する。
【００２２】
畳み込み演算部１２は、Ｌｃｈのステレオ入力信号ＸＬに対して空間音響伝達特性Ｈｌｏに応じた空間音響フィルタを畳み込む。畳み込み演算部１２は、畳み込み演算データを、加算器２５に出力する。畳み込み演算部２２は、Ｒｃｈのステレオ入力信号ＸＲに対して空間音響伝達特性Ｈｒｓに応じた空間音響フィルタを畳み込む。畳み込み演算部２２は、畳み込み演算データを、加算器２５に出力する。加算器２５は２つの畳み込み演算データを加算して、フィルタ部４２に出力する。
【００２３】
フィルタ部４１、４２にはヘッドホン特性（ヘッドホンの再生ユニットとマイク間の特性）をキャンセルする逆フィルタが設定されている。そして、頭外定位処理部１０での処理が施された再生信号（畳み込み演算信号）に逆フィルタを畳み込む。フィルタ部４１で加算器２４からのＬｃｈ信号に対して、Ｌｃｈ側のヘッドホン特性の逆フィルタを畳み込む。同様に、フィルタ部４２は加算器２５からのＲｃｈ信号に対して、Ｒｃｈ側のヘッドホン特性の逆フィルタを畳み込む。逆フィルタは、ヘッドホン４３を装着した場合に、ヘッドホンユニットからマイクまでの特性をキャンセルする。マイクは、外耳道入口から鼓膜までの間ならばどこに配置してもよい。逆フィルタは、後述するように、ユーザＵ本人の特性の測定結果から算出されている。
【００２４】
フィルタ部４１は、処理されたＬｃｈ信号ＹＬをヘッドホン４３の左ユニット４３Ｌに出力する。フィルタ部４２は、処理されたＲｃｈ信号ＹＲをヘッドホン４３の右ユニット４３Ｒに出力する。ユーザＵは、ヘッドホン４３を装着している。ヘッドホン４３は、Ｌｃｈ信号ＹＬとＲｃｈ信号ＹＲ（以下、Ｌｃｈ信号ＹＬとＲｃｈ信号をまとめてステレオ信号ともいう）をユーザＵに向けて出力する。これにより、ユーザＵの頭外に定位された音像を再生することができる。また、後述するようにステレオ信号ＹＬ、ＹＲには、ＤＲＣ処理が施される。
【００２５】
このように、頭外定位処理装置１００は、空間音響伝達特性Ｈｌｓ、Ｈｌｏ、Ｈｒｏ、Ｈｒｓに応じた空間音響フィルタと、ヘッドホン特性の逆フィルタを用いて、頭外定位処理を行っている。以下の説明において、空間音響伝達特性Ｈｌｓ、Ｈｌｏ、Ｈｒｏ、Ｈｒｓに応じた空間音響フィルタと、ヘッドホン特性の逆フィルタとをまとめて頭外定位処理フィルタとする。２ｃｈのステレオ再生信号の場合、頭外定位フィルタは、４つの空間音響フィルタと、２つの逆フィルタとから構成されている。そして、頭外定位処理装置１００は、ステレオ再生信号に対して合計６個の頭外定位フィルタを用いて畳み込み演算処理を行うことで、頭外定位処理を実行する。頭外定位フィルタは、ユーザＵ個人の測定に基づくものであることが好ましい。例えば，ユーザＵの耳に装着されたマイクが収音した収音信号に基づいて、頭外定位フィルタが設定されている。
【００２６】
このように空間音響フィルタと、ヘッドホン特性の逆フィルタはオーディオ信号用のフィルタである。これらのフィルタが再生信号（ステレオ入力信号ＸＬ、ＸＲ）に畳み込まれることで、頭外定位処理装置１００が、頭外定位処理を実行する。
【００２７】
なお、図１では、頭外定位処理装置１００が、ヘッドホン４３を用いて、頭外定位処理を実施しているが、本実施の形態では、頭外定位処理装置１００がイヤホンを用いた頭外定位処理を実施してもよい。
【００２８】
（フィルタ生成装置）
図２を用いて、空間音響伝達特性（以下、伝達特性とする）を測定して、フィルタを生成するフィルタ生成装置について説明する。図２は、フィルタ生成装置２００の構成を模式的に示す図である。なお、フィルタ生成装置２００は、図１に示す頭外定位処理装置１００と共通の装置であってもよい。あるいは、フィルタ生成装置２００の一部又は全部が頭外定位処理装置１００と異なる装置となっていてもよい。
【００２９】
図２に示すように、フィルタ生成装置２００は、ステレオスピーカ５とステレオマイク２と信号処理装置２０１を有している。ステレオスピーカ５が測定環境に設置されている。
【００３０】
本実施の形態では、フィルタ生成装置２００の信号処理装置２０１が、伝達特性に応じたフィルタを適切に生成するための演算処理を行っている。信号処理装置２０１は、パーソナルコンピュータ（ＰＣ）、タブレット端末、スマートホン等であってもよい。
【００３１】
信号処理装置２０１は、測定信号を生成して、ステレオスピーカ５に出力する。なお、信号処理装置２０１は、伝達特性を測定するための測定信号として、インパルス信号やＴＳＰ（Ｔｉｍｅ  Ｓｔｒｅｔｃｈｅｄ  Ｐｕｌｓｅ）信号等を発生する。測定信号はインパルス音等の測定音を含んでいる。また、信号処理装置２０１は、ステレオマイク２で収音された収音信号を取得する。信号処理装置２０１は、伝達特性の測定データをそれぞれ記憶するメモリなどを有している。
【００３２】
ステレオスピーカ５は、左スピーカ５Ｌと右スピーカ５Ｒを備えている。例えば、被測定者１の前方に左スピーカ５Ｌと右スピーカ５Ｒが設置されている。左スピーカ５Ｌと右スピーカ５Ｒは、インパルス応答測定を行うためのインパルス音等を出力する。以下、本実施の形態では、音源となるスピーカの数を２（ステレオスピーカ）として説明するが、測定に用いる音源の数は２に限らず、１以上であればよい。すなわち、1chのモノラル、または、5.1ch、7.1ch等の、いわゆるマルチチャンネル環境においても同様に、本実施の形態を適用することができる。
【００３３】
ステレオマイク２は、左のマイク２Ｌと右のマイク２Ｒを有している。左のマイク２Ｌは、被測定者１の左耳９Ｌに設置され、右のマイク２Ｒは、被測定者１の右耳９Ｒに設置されている。具体的には、左耳９Ｌ、右耳９Ｒの外耳道入口から鼓膜までの位置にマイク２Ｌ、２Ｒを設置することが好ましい。マイク２Ｌ、２Ｒは、ステレオスピーカ５から出力された測定信号を収音して、信号処理装置２０１に収音信号を出力する。被測定者１は、人でもよく、ダミーヘッドでもよい。すなわち、本実施形態において、被測定者１は人だけでなく、ダミーヘッドを含む概念である。ここでは、被測定者１が図1に示す頭外定位処理装置で受聴するユーザＵと同一人物であるとする。
【００３４】
上記のように、左右のスピーカ５Ｌ、５Ｒから出力された測定信号をマイク２Ｌ、２Ｒで収音し、収音された収音信号に基づいてインパルス応答が得られる。フィルタ生成装置２００は、インパルス応答測定に基づいて取得した収音信号をメモリなどに記憶する。これにより、左スピーカ５Ｌと左マイク２Ｌとの間の伝達特性Ｈｌｓ、左スピーカ５Ｌと右マイク２Ｒとの間の伝達特性Ｈｌｏ、右スピーカ５Ｒと左マイク２Ｌとの間の伝達特性Ｈｒｏ、右スピーカ５Ｒと右マイク２Ｒとの間の伝達特性Ｈｒｓが測定される。すなわち、左スピーカ５Ｌから出力された測定信号を左マイク２Ｌが収音することで、伝達特性Ｈｌｓが取得される。左スピーカ５Ｌから出力された測定信号を右マイク２Ｒが収音することで、伝達特性Ｈｌｏが取得される。右スピーカ５Ｒから出力された測定信号を左マイク２Ｌが収音することで、伝達特性Ｈｒｏが取得される。右スピーカ５Ｒから出力された測定信号を右マイク２Ｒが収音することで、伝達特性Ｈｒｓが取得される。
【００３５】
そして、フィルタ生成装置２００は、収音信号に基づいて、左右のスピーカ５Ｌ、５Ｒから左右のマイク２Ｌ、２Ｒまでの伝達特性Ｈｌｓ、Ｈｌｏ、Ｈｒｏ、Ｈｒｓに応じたフィルタを生成する。このようにすることで、フィルタ生成装置２００は、頭外定位処理装置１００の畳み込み演算に用いられるフィルタを生成する。図１で示したように、頭外定位処理装置１００が、左右のスピーカ５Ｌ、５Ｒと左右のマイク２Ｌ、２Ｒとの間の伝達特性Ｈｌｓ、Ｈｌｏ、Ｈｒｏ、Ｈｒｓに応じたフィルタを用いて頭外定位処理を行う。すなわち、伝達特性に応じたフィルタをオーディオ再生信号に畳み込むことにより、頭外定位処理を行う。
【００３６】
マイク２Ｌ、２Ｒは耳に装着されるイヤーマイクである。マイク２Ｌ、２Ｒは、空間音響伝達特性の測定だけでなく、外耳道伝達特性の測定を行うこともできる。具体的には、マイク２Ｌ、２Ｒには、イヤホンドライバが脱着可能に取り付けられている。イヤホンドライバを取り付けた状態とすることで、信号処理装置２０１が外耳道伝達特性を測定することができる。イヤホンドライバを取り外した状態とすることで、信号処理装置２０１が空間音響伝達特性を測定することができる。
【００３７】
以下、マイク２Ｌ、２Ｒの構造について説明する。なお、マイク２Ｌとマイク２Ｒは同様の構造であるため、以下の説明ではマイク２Ｌについてのみ説明を行い、マイク２Ｒの説明については省略する。
【００３８】
実施の形態１．
本実施の形態では、被測定者１の外耳道の大きさに応じて、マイク２Ｌに用いられるイヤーチップ（イヤーパッドともいう）の構造を変更している。すなわち、２種類のイヤーチップを用意して、被測定者１の外耳道の大きさに応じて２種類の大きさのイヤーチップを使い分けている。２つのイヤーチップでマイク素子の配置が異なっている。外耳道が大きい被測定者１に用いられるイヤーチップでのマイク素子の配置を縦配置とし、外耳道が小さい被測定者１に用いられるイヤーチップでのマイク素子の配置を横配置とすることが好ましい。縦配置と横配置では、マイク素子の向きが９０°異なっている。
【００３９】
（縦配置の構成）
図３は、縦配置のイヤーチップ５０の構成を模式的に示す図である。なお、以下に示す図は、適宜簡略化されおり、実際の形状、及び寸法を反映したものではない。以下の図では、説明の簡略化のため、ＸＹＺ３次元直交座標系を示している。外耳道に沿った方向をＺ方向とし、軸方向とも称する。ＸＹ平面はＺ方向と直交する平面である。なお、マイク２Ｌが装着されていない場合であっても、このＸＹＺ方向を適用する。各図のＡは、ＺＹ断面図を示し、Ｂは、外耳道の鼓膜側から見たＸＹ平面図を示し、Ｃは、外耳道の外側から見たＸＹ平面図を示す。
【００４０】
図３は、スピーカドライバが装着されていない状態のマイク２Ｌが示されている。つまり、空間音響伝達特性を測定するために、マイク２Ｌにイヤーチップ５０からスピーカドライバが取り外された状態について、説明する。
【００４１】
ＸＹ平面において、外耳道の中心軸を中心軸Ｚ０とし、中心軸Ｚ０を中心とする円を基準として、周方向と径方向を規定する。＋Ｚ側が外耳道の奥側（鼓膜側）であり、−Ｚ側が外耳道の外側である。
【００４２】
マイク２Ｌは、イヤーチップ５０と、マイク素子９１とを備えている。イヤーチップ５０は、弾性材料により形成されており、外耳道に圧入される。例えば、イヤーチップ５０は、中空砲弾状に形成されている。
【００４３】
イヤーチップ５０は、円筒部５１と、当接部５２と、凸部５３と、連結部５８と、支柱部６１と、を備えている。イヤーチップ５０は、例えば、シリコーン樹脂などの弾性材料により形成される。つまり、イヤーチップ５０は、円筒部５１と、当接部５２と、連結部５８と、支柱部６１と、が一体に成形された樹脂成形品である。Ｚ方向におけるイヤーチップ５０の全長は、約８．５ｍｍとなっている。
【００４４】
円筒部５１が外耳道に沿った円筒形状になっており、中空部５４を有している。つまり、円筒部５１は、シリコーン樹脂製のチューブとなっている。中空部５４は、断面円形となっている。ここでは、円筒部５１の軸中心が外耳道の中心軸Ｚ０と一致している。円筒部５１の内径、つまり中空部５４の直径は約５ｍｍとなっている。
【００４５】
当接部５２は、円筒部５１の外側に配置されており、外耳道の内壁面と当接する。イヤーチップ５０は、中空砲弾状に形成されている。したがって、＋Ｚ側から−Ｚ側に向かうにつれて、当接部５２の外径が徐々に大きくなっていく。あるいは、当接部５２は、外径が一定な円筒状に形成されていてもよい。当接部５２の最大外径は、約１２ｍｍとなっている。
【００４６】
イヤーチップ５０が外耳道に嵌め込まれると、当接部５２が外耳道の内壁面と当接して、変形する。当接部５２が径方向の内側に縮み、径方向外側に弾性力を発生する。当接部５２の弾性力によって、イヤーチップ５０が外耳道内に固定される。
【００４７】
当接部５２の内側（中心軸Ｚ０側）に円筒部５１が配置されている。当接部５２と円筒部５１とは、＋Ｚ側（外耳道の鼓膜側）において、連結部５８を介して連結されている。連結部５８は、イヤーチップ５０の＋Ｚ側の先端に配置されている。また、連結部５８は、周方向全体にわたって、当接部５２と円筒部５１とを連結している。当接部５２と円筒部５１との間の空間には間隙５７が設けられている。円筒部５１は、肉厚が約０．５〜２．０ｍｍの内皮となり、当接部５２は肉厚が約０．１〜１．０ｍｍの外皮となる。
【００４８】
本実施の形態では、当接部５２が折り返し可能なフランジ構造となっている。つまり、連結部５８を基点として、当接部５２を＋Ｚ側に裏返すことができる（図４参照）。当接部５２を裏返した状態とすることで、マイク素子９１の脱着が可能となる。当接部５２は、円筒部５１の一端から延びるフランジ部となっている。当接部５２の＋Ｚ側の端部は、連結部５８を介して、円筒部５１と連結され、当接部５２の−Ｚ側の端部は、開放端になっている。
【００４９】
円筒部５１の内側には、凸部５３が設けられている。凸部５３は、後述するようにスピーカドライバを係止するための係止片となっている。つまり、凸部５３は、支柱部６１よりも−Ｚ側に配置されている。図３では、凸部５３は、周方向全体にわたって形成されているが、周方向の一部のみに形成されていてもよい。また、円筒部５１内に、スピーカドライバを圧入する場合、凸部５３は不要となる。
【００５０】
円筒部５１の内側には、支柱部６１が設けられている。支柱部６１は、円筒部５１の＋Ｚ側の端部近傍に配置されている。支柱部６１は、Ｙ方向に沿って設けられている。具体的には、支柱部６１は、中空部５４を横切るように配置され、円筒部５１の内周面に接続している。すなわち、Ｙ方向における支柱部６１の両端が円筒部５１の内周面と連結している。中空部５４の＋Ｙ側の端から−Ｙ側の端に渡って、支柱部６１が設けられている。なお、支柱部６１はＹ方向に沿って設けられているが、Ｘ方向その他のＸＹ平面に沿った方向に設けてもよい。
【００５１】
マイク素子９１は、支柱部６１に取り付けられている。マイク素子９１は、ＭＥＭＳ（Micro Electrical Mechanical System）マイクである。マイク素子９１は、１辺が２〜３ｍｍ程度で厚さが１ｍｍ程度の角形基板を備えている。マイク素子９１には、収音部９２が設けられている。収音部９２は、平面視において、直径０．８ｍｍ程度の円形となっている。収音部９２は、収音孔、及び振動板（ダイヤフラム）等が設けられている。収音部９２は、振動板の振動を電気信号に変換して、ケーブル９３を介して出力する。収音部９２は中心軸Ｚ０上に配置されている。
【００５２】
支柱部６１には、マイク素子９１を収容するため収容部６２を備えている。具体的には、収容部６２は、支柱部６１に設けられた内部空間である。収容部６２は、後述する開口部５５と繋がっている。収容部６２内にマイク素子９１が嵌め込まれている。さらに、支柱部６１の中心軸Ｚ０上にはマイクホール６３が形成されている。マイクホール６３は、収容部６２と連通している。マイク素子９１の収音部９２は、マイクホール６３に配置される。これにより、マイク素子９１を適切な位置に固定することができる。収音部９２が−Ｚ側に向くように、マイク素子９１が支柱部６１に固定されている。例えば、マイク素子９１の厚さ方向がＺ方向と一致している。つまり、マイク素子９１の収音方向がＺ方向となる。なお、収音方向は、収音部９２の振動板と直交する方向となる。
【００５３】
マイク素子９１には、ケーブル９３が接続されている。ケーブル９３は、電源ケーブル、信号ケーブル等を含んでおり、マイク素子９１の電源端子、信号端子、グランド端子等と導通している。ケーブル９３は、円筒部５１の側壁に設けられた開口部５５を通って、間隙５７に引き出されている。つまり、ケーブル９３は−Ｙ側からマイク素子９１に接続されている。そして、ケーブル９３の一端はマイク素子９１に接続され、他端は間隙５７から外耳道の外側まで引き出される。開口部５５は、円筒部５１の−Ｙ側の端部近傍に形成されている。
【００５４】
縦配置でマイク素子９１を円筒部５１内に配置する様子を図４に示す。上記のように、当接部５２は、連結部５８を基点として、矢印Ａ１の方向に裏返された状態となっている。これにより、開口部５５にマイク素子９１を挿入することができる。
【００５５】
具体的には、円筒部５１の側壁に形成された開口部５５からマイク素子９１を＋Ｙ方向に挿入することができる。つまり、開口部５５から＋Ｙ方向にマイク素子９１を押し込んでいくと、マイク素子９１は開口部５５を通過して、支柱部６１の収容部６２に嵌め込まれる。円筒部５１の外側から開口部５５を通ったマイク素子９１が支柱部６１の収容部６２に収容される。
【００５６】
マイク素子９１の収音部９２が、マイクホール６３に到達するまで、マイク素子９１を＋Ｙ方向に挿入している。これにより、マイク素子９１を、支柱部６１に取り付けることができる。マイク素子９１に接続されたケーブル９３は、開口部５５を通って、中空部５４の外側に引き出される。そして、裏返された当接部５２を元に戻すことで、図３に示す構成となる。つまり、連結部５８を基点として、当接部５２を矢印Ａ１の反対方向に折り返すことで、図３の構成に戻る。
【００５７】
折り返した状態では、開口部５５が当接部５２によって、覆われている。これにより、マイク素子９１の位置が固定された状態となる。さらに、当接部５２が開口部５５を覆っているため、音道の気密性を向上することができる。また、ケーブル９３と外耳道の内壁との間には、当接部５２が配置される。よって、ケーブル９３が外耳道内壁と接触するのを防ぐことができる。これにより、被測定者１の脈音などによるノイズの発生を低減させることができる。
【００５８】
上記のように、外耳道の穴径が大きい被測定者１の場合、円筒部５１内には、支柱部６１が配置されたイヤーチップ５０を用いることが好ましい。イヤーチップ５０を外耳道内に強く押し込んだ場合であっても、イヤーチップ５０が大きく変形することを防ぐことができる。よって、マイク素子９１の向きが大きく傾くことを防ぐことができ、適切に収音することができる。
【００５９】
さらに、マイク素子９１の収音部９２が外側に向いているため、適切に収音することができる。さらに、支柱部６１、及びマイク素子９１が中空部５４を閉塞しないように配置されている。中空部５４は、支柱部６１の両側を通って鼓膜まで連通するため、中空部５４が外部から鼓膜までの音道となる。音道を塞ぐことなく、適切に収音を行うことができる。
【００６０】
マイク素子９１を鼓膜により近い位置に配置することが可能となり、理想的な収音位置での収音が可能となる。さらに，イヤーチップ５０には、ケーブル９３を通すための開口部５５が設けられている。そして、ケーブル９３が開口部５５を通って間隙５７に引き出されている。つまり、ケーブル９３の引き回しによる影響を抑制することができ、適切に収音することができる。
【００６１】
このように、本実施の形態によれば、適切な位置に、マイク素子９１を配置した状態で、個人特性を測定することができる。また、接着剤を用いずに、マイク素子９１を確実に固定することができる。接着剤を用いていないため、当接部５２を裏返すことで、マイク素子９１を取り外すことができる。
【００６２】
［横配置の構成］
次、図５を用いて、横配置のイヤーチップ５０Ａの構成について、説明する。図５Ａは、ＹＺ断面図を示し、図５Ｂは、外耳道の鼓膜側から見たＸＹ平面図を示し、図５Ｃは、外耳道の外側から見たＸＹ平面図を示す。
【００６３】
横配置の構成では、イヤーチップ５０Ａが支柱部６１を備えていない。そして、円筒部５１の内周面５１ａに収容部６７が設けられている。つまり、イヤーチップ５０Ａでは、支柱部６１の代わりに保持部６６が設けられている。円筒部５１、当接部５２、凸部５３等の基本的な形状、及び大きさ等は、イヤーチップ５０と同じとなっている。円筒部５１、当接部５２、凸部５３、及び保持部６６は、一体に形成されている。
【００６４】
保持部６６は、内周面５１ａから中心軸Ｚ０側に突出している。保持部６６は、中空部５４に配置されている。保持部６６は、中空のブロックとなっており、＋Ｘ側Ｚ側の面が開放している。保持部６６の内部空間がマイク素子９１を配置するための収容部６７となっている。また、保持部６６の＋Ｙ側の面には、マイクホール６８が設けられている。
【００６５】
マイク素子９１は、中心軸Ｚ０から外れて配置されている。ここでは、マイク素子９１は、中心軸Ｚ０よりも−Ｙ側に配置されている。マイク素子９１の収音部９２は＋Ｙ側を向いて配置されている。従って、マイク素子９１の収音方向がＹ方向となる。マイク素子９１は、円筒部５１の＋Ｚ側の端部近傍に配置される。
【００６６】
さらに、縦配置では、保持部６６の＋Ｚ側の面が開放しており、ケーブル９３が＋Ｚ側からマイク素子９１に接続されている。縦配置の場合と同様に、イヤーチップ５０Ａには開口部５５が形成されている。縦配置のイヤーチップ５０Ａでは、開口部５５が形成される箇所は、円筒部５１に限らず、連結部５８や当接部５２であってもよい。ケーブル９３は、開口部５５を通って、間隙５７に引き出されている。ケーブル９３は、間隙５７から外耳道の外側まで引き出される。
【００６７】
横配置では、中空部５４を横切る支柱部６１が設けられていない構造とすることができる。よって、イヤーチップ５０Ａの弾性変形量を大きくすることができ、より小さい外耳道にイヤーチップ５０Ａを嵌め込むことが可能となる。マイク素子９１が支柱部６１ではなく円筒部５１の内周面５１ａに保持されている。このため、イヤーチップ５０Ａが変形した場合でで、マイク素子９１が大きく傾いたりすることがない。
【００６８】
マイク素子９１を鼓膜により近い位置に配置することが可能となる。保持部６６、及びマイク素子９１が中空部５４を閉塞しないように配置されている。中空部５４が鼓膜まで連通した音道を形成となる。鼓膜までの外耳道（音道）を塞ぐことなく、適切に収音を行うことができる。
【００６９】
次に、マイク素子９１を横配置で円筒部５１内に配置する様子を図６に示す。当接部５２は、連結部５８を基点として、矢印Ａ２の方向に裏返された状態となっている。これにより、開口部５５にマイク素子９１を挿入することができる。
【００７０】
具体的には、連結部５８周辺に形成された開口部５５からマイク素子９１を−Ｚ方向に挿入することができる。マイク素子９１は、開口部５５を通って、保持部６６内に嵌め込まれる。
【００７１】
マイク素子９１の収音部９２が、マイクホール６８に到達するまで、マイク素子９１を−Ｚ方向に挿入している。すなわち、マイク素子９１を−Ｚ方向に押し込んでいくことで、マイク素子９１は、収容部６７に収容される。これにより、マイク素子９１を、保持部６６に取り付けることができる。
【００７２】
そして、裏返された当接部５２を元に戻すことで、図５に示す構成となる。つまり、連結部５８を基点として、当接部５２を矢印Ａ２の反対方向に折り返すことで、図５の構成に戻る。この状態では、開口部５５が当接部５２によって、覆われているため、外側に露出していない構成となる。マイク素子９１に接続されたケーブル９３は、開口部５５を通って、中空部５４の外側に引き出される。つまり、ケーブル９３は、円筒部５１と当接部５２との間隙５７を通って、外耳道の外側に引き出される。
【００７３】
上記のように、外耳道の穴径が小さい被測定者１の場合、円筒部５１内には、保持部６６が配置されたイヤーチップ５０Ａを用いる。Ｙ方向における保持部６６の高さは、マイク素子９１の基板厚さ程度でよい。保持部６６、及びマイク素子９１が中空部５４を閉塞しないように配置することが可能となる。これにより、鼓膜までの外耳道を塞ぐことなく、適切に収音を行うことができる。
【００７４】
マイク素子９１を鼓膜により近い位置に配置することが可能となり、理想的な収音位置での収音が可能となる。さらに，イヤーチップ５０Ａには、ケーブル９３を通すための開口部５５が設けられている。そして、ケーブル９３が開口部５５を通って間隙５７に引き出されている。つまり、ケーブル９３の引き回しによる影響を抑制することができ、適切に収音することができる。
【００７５】
マイク素子９１を鼓膜により近い位置に配置することが可能となる。さらに、ケーブル９３が開口部５５を通って間隙５７に引き出されている。つまり、ケーブル９３の引き回しによる影響を抑制することができ、適切に収音することができる。当接部５２を裏返すことで、マイク素子９１を取り外すことができる。
【００７６】
縦配置か横配置を採用するかは、被測定者１の外耳道の大きさに応じて決定すればよい。つまり、被測定者１がイヤーチップ５０とイヤーチップ５０Ａを順番に装着して、装着感を比較することで、適切なイヤーチップを選択してもよい。具体的には、縦配置のイヤーチップ５０を外耳道の奥まで十分に嵌め込むことができない場合は、横配置のイヤーチップ５０Ａを用いるようにする。また、イヤーチップ５０、５０Ａをサイズ毎に複数用意してもよい。例えば、大サイズ、中サイズ、小サイズの３サイズのイヤーチップ５０、５０Ａをそれぞれ用意する。そして、外耳道の大きさに応じて、最も適切なサイズのイヤーチップを選択してもよい。
【００７７】
［イヤーチップ５０の構成］
次に、縦配置のイヤーチップ５０の具体的な構成の一例について説明する。図７は当接部５２が折り返された状態（以下、折り返し状態とする）のイヤーチップ５０を示す側面図である。図８は、当接部５２を裏返した状態（裏返し状態とする）のイヤーチップ５０を示す側面図である。図７、図８に示すように、当接部５２の外形が円筒状になっている。すなわち、Ｚ位置によらず、当接部５２が一定の外径を有している。また、以下の図では、凸部５３を省略している。
【００７８】
図７に示すように、折り返し状態では、円筒部５１の外周面が当接部５２に覆われている。そして、当接部５２が外耳道ＥＣの内壁面Ｓと当接している。図８に示すように、当接部５２を裏返すことで、円筒部５１の外周面５１ｂが露出する。裏返し状態では、連結部５８を基点として、当接部５２が＋Ｚ側に延在しており、円筒部５１が−Ｚ側に延在している。当接部５２は、円筒部５１の外径よりも大きくなっている。
【００７９】
図９、図１０は、折り返し状態のイヤーチップ５０を示す斜視図である。図１１、図１２、及び図１３は、裏返し状態のイヤーチップ５０を示す斜視図である。図９、図１２は鼓膜側から見た図であり、図１０、図１１は外側から見た図である。図１３は、開口部５５側から見た図である。
【００８０】
図９、図１０に示すように、支柱部６１がＹ方向に沿って設けられている。したがって、Ｘ方向における支柱部６１の両側が音道となる。よって、鼓膜までの空間を塞ぐことなく、収音することができる。
【００８１】
図１０、図１１に示すように、支柱部６１の中央には、マイク素子９１を収容するための収容部６２が形成されている。収容部６２は、マイク素子９１を収容するための空間である。支柱部６１には、マイク素子９１の収音部９２が配置される円形のマイクホール６３が形成されている。収容部６２とマイクホール６３とは連通している。
【００８２】
図１１に示すように、当接部５２を折り返すことで、円筒部５１に設けられた開口部５５が露出する。そして、開口部５５が形成された箇所には、支柱部６１の収容部６２が配置されている。図１３に示すように、円筒部５１には、矩形状の開口部５５が設けられている。
【００８３】
当接部５２を折り返すことで、開口部５５が露出するため、容易にマイク素子９１（図３、図４等を参照）を取り付けることができる。被測定者１がマイク２Ｌを装着している時（以下、マイク装着時）には、当接部５２が折り返された構成となっている。したがって、当接部５２が開口部５５を覆うため、マイク素子９１の脱落を防止することができる。さらに、ケーブル９３が円筒部５１と当接部５２との間の間隙５７を通っている。よって、ケーブル９３が外耳道ＥＣの内壁面Ｓと接触することを防ぐことができる。マイク装着時にケーブル９３が切断された場合でも、マイク素子９１が外耳道に入ってしまうことを防ぐことができる。
【００８４】
［イヤホンドライバの装着］
次に、イヤーチップ５０にイヤホンドライバが取り付けられた構成について、図１４，図１５を用いて説明する。図１４は、イヤーチップ５０にイヤホンドライバ８０が取り付けられた状態のマイク２Ｌの構成を示す側面断面図である。図１４は、イヤーチップ５０Ａにイヤホンドライバ８０が取り付けられた状態のマイク２Ｌの構成を示す側面断面図である。
【００８５】
図１４、図１５では、イヤホンドライバ８０が取り付けられた状態のマイク２Ｌを収音装置４として図示している。収音装置４は、イヤーチップ５０、５０Ａとマイク素子９１とイヤホンドライバ８０とを備えたマイク付きイヤホンである。
【００８６】
イヤホンドライバ８０は、音筒部８２と、ドライバケーブル８３と、先端部８５と、基部８６とを備えている。基部８６は、収音装置４を到着した状態において、外耳道の外側に位置する部分である。音筒部８２は、基部８６から中心軸Ｚ０に沿って鼓膜側に延びる部分であり、円筒状になっている。先端部８５は、音筒部８２の鼓膜側に配置された部分である。
【００８７】
基部８６の内部には、振動板と、駆動部とが収納されている。駆動部は、電気信号に応じて振動板を振動させるアクチュエータを備えている。具体的には、基部８６の内部には圧電素子やボイスコイルなどのアクチュエータが配置されている。基部８６は、音筒部８２，及び先端部８５よりも大きい外形を有している。基部８６の外径は、円筒部５１の内径よりも大きくなっている。基部８６は、円筒部５１の外側に配置されている。
【００８８】
基部８６の＋Ｚ側には、音筒部８２が延びている。音筒部８２は、円筒状になっている。つまり、音筒部８２の内部は空洞となっている。先端部８５は、最も鼓膜側に配置される部分であり、音筒部８２よりも大きい外形を有している。先端部８５は、円筒状になっている。なお、先端部８５には、ゴミなどが内部に浸入しないようするための不織布などが設けられていてもよい。基部８６で発生した音が、音筒部８２、及び先端部８５を通って出力される。先端部８５の＋Ｚ側の端面が音の出力面となる。先端部８５から出力された音（空気振動）が中空部５４を伝搬して、マイク素子９１で収音される。
【００８９】
先端部８５、及び音筒部８２が、円筒部５１内に挿入される。つまり、先端部８５、及び音筒部８２が中空部５４に配置される。凸部５３によって、イヤーチップ５０、５０Ａにイヤホンドライバ８０が係止されている。つまり、先端部８５が凸部５３を越えるように、円筒部５１に音筒部８２が挿入される。したがって、凸部５３が先端部８５を係止することで、イヤホンドライバ８０の脱落が防止される。
【００９０】
基部８６からは、アクチュエータに接続されるドライバケーブル８３が延びている。ドライバケーブル８３は、アクチュエータに電源や測定信号を供給するために設けられている。ドライバケーブル８３は、ケーブル９３と束ねられて、外耳道の外側に引き出される。
【００９１】
縦配置では、音の出力面（先端部８５の＋Ｚ側の端面）とマイク素子９１の収音部９２とが向かい合うように配置される。したがって、イヤホンドライバ８０からの出力される音をより適切にマイク素子９１が収音することができる。なお、横配置と縦配置では、マイク素子９１の設置方向が異なっているが、聴感的に大きな差はない。また、縦配置と横配置で測定した外耳道伝達特性についても、大きな差は無く、特に低周波数帯ではほぼ同じ特性を示す。
【００９２】
そして、測定を行わずに、頭外定位受聴を行う場合、マイク素子９１を搭載しないイヤーチップにイヤホンドライバ８０を装着する。中空砲弾状等の一般的な形状のイヤーチップにイヤホンドライバ８０を取り付ける。例えば、保持部６６や当接部５２を有しておらず、円筒部５１及び当接部５２を有しているイヤーチップにイヤホンドライバ８０を装着する。そして、図１に示した頭外定位処理装置１００が頭外定位処理を行うことで、音像を頭外に定位することができる。頭外定位受聴に用いるイヤーチップは、個人特性の測定で用いたイヤーチップ５０、５０Ａと同様の形状の円筒部５１、及び当接部５２を備えていることが好ましい。
【００９３】
［開口部５５の閉塞］
なお、ケーブル９３を通すための開口部５５により、気密性が弱くなる場合、開口部５５を閉塞することが好ましい。この場合、当接部５２により開口部５５を塞ぐことが好ましい。当接部５２を折り返すことで、当接部５２が開口部５５に押しつけられる構造とすることが好ましい。
【００９４】
さらに、より気密性を高くするために、開口部５５の少なくとも一部を塞ぐための閉塞部を設けることが可能である。図１６、図１７は、縦配置において開口部５５を塞ぐ閉塞部の構成を示している。図１６は、裏返し状態の側面断面図を示し、図１７は、折り返し状態を示している。図１７に示すように、当接部５２の開口部５５に対応する位置には閉塞部５９が設けられている。閉塞部５９は、開口部５５の少なくとも一部を覆う蓋又はカバーとして機能する。
【００９５】
閉塞部５９は、イヤーチップ５０の一部として、当接部５２等と一体に形成されている。閉塞部５９はシリコーン樹脂により形成されている。閉塞部５９は、当接部５２の連結部５８の近傍に形成されたブロックである。図４で説明したように、開口部５５を介してマイク素子９１を、支柱部６１に取り付けると、図１６に示す構成となる。そして、図１６の矢印Ａ３方向に当接部５２を折り返すと、図１７に示すように、閉塞部５９が開口部５５に嵌め込まれる。
【００９６】
これにより、開口部５５の少なくとも一部を塞ぐことができ、音道となる中空部５４の気密性を高くした状態での収音が可能となる。なお、図１７Ｂに示すように、閉塞部５９が中空部５４まで突出しているが、突出していなくてもよい。
【００９７】
図１８、図１９は、横配置において、閉塞部５９を設けた構成を示す図である。横配置においても、当接部５２の開口部５５に対応する位置には閉塞部５９が設けられている。閉塞部５９は、イヤーチップ５０Ａの一部として、当接部５２等と一体に形成されている。よって、閉塞部５９は、シリコーン樹脂により形成されている。
【００９８】
図６で説明したように、開口部５５を介してマイク素子９１を、保持部６６に取り付けると、図１８の構成となる。マイク素子９１を保持部６６に取り付ける際、閉塞部５９がマイク素子９１と干渉しない位置まで、当接部５２を裏返しておく。そして、図１８の矢印Ａ４方向に当接部５２を折り返すと、図１９に示すように、閉塞部５９が開口部５５に嵌め込まれる。これにより、開口部５５の一部を塞ぐことができ、音道となる中空部５４の気密性を向上することができる。なお、閉塞部５９は、開口部５５を完全に塞ぐ構成に限らず、開口部５５の一部を塞ぐ構成であればよい。
【００９９】
これにより、開口部５５が閉塞部５９で覆われるため、音道となる中空部５４の気密性を高くした状態での収音が可能となる。なお、閉塞部５９は、当接部５２に形成されていなくてもよい。例えば、円筒部５１の外周面や連結部５８に形成されていてもよい。
【０１００】
さらに、イヤーチップ５０、イヤーチップ５０Ａと別体の閉塞部を用いることも可能である。以下、図２０、図２１、図２２を用いて、縦配置において、イヤーチップ５０と別に形成された閉塞部の構成について説明する。図２０、図２１、図２２に示すように、閉塞部６９はケーブル９３に取り付けられたブロックとなっている。閉塞部６９にケーブル９３を通すための貫通穴が形成されており、ケーブル９３が閉塞部６９を貫通している。閉塞部６９は、ケーブル９３に沿って摺動する。閉塞部６９は、シリコーン樹脂により形成されている。
【０１０１】
図４で説明したように、支柱部６１にマイク素子９１を取り付けると、図２０に示すようになる。この状態で、閉塞部６９を開口部５５の位置まで摺動させると、図２１に示すようになる。開口部５５に閉塞部６９が嵌め込まれるため、開口部５５が閉塞部６９によって塞がれる。そして、図２１の矢印Ａ３の方向に当接部５２を裏返すと、図２２に示すようになる。これにより、開口部５５が覆われるため、音道となる中空部５４の気密性を高くした状態での収音が可能となる。
【０１０２】
図２３、図２４、図２５を用いて、横配置において、イヤーチップ５０Ａと別に形成された閉塞部を用いた構成について説明する。図２３、図２４、図２５に示すように、閉塞部６９がケーブル９３に取り付けられている。すなわち、ケーブル９３が閉塞部６９を貫通している。閉塞部６９は、ケーブル９３に対して摺動する。閉塞部６９は、シリコーン樹脂により形成されている。
【０１０３】
図６で説明したように、保持部６６にマイク素子９１を取り付けると、図２３に示すようになる。この状態で、閉塞部６９を開口部５５に向けて摺動させる。そして、閉塞部６９が、開口部５５を閉塞すると、図２４に示すようになる。そして、図２４の矢印Ａ４の方向に当接部５２を裏返すと、図２５に示すようになる。
【０１０４】
このように、ケーブル９３に対して摺動可能に設けられた閉塞部６９を用いることで、開口部５５を閉塞することができる。これにより、気密性を高くした状態での収音が可能となる。なお、閉塞部６９は、開口部５５を完全に塞ぐ構成に限らず、開口部５５の一部を塞ぐ構成であればよい。また、閉塞部６９は、開口部５５に嵌め込まれる構成に限らず、円筒部５１の外側で開口部５５を覆う構成となっていてもよい。
【０１０５】
さらに、マイク素子９１を装着後に取り外すことがない場合は、接着剤を用いて、気密性を高くすることも可能である。例えば、図２６、図２７に示されているように、当接部５２が裏返されている状態として、開口部５５、及び閉塞部６９の周辺に接着剤９５のペーストを塗布する。そして、接着剤９５を乾燥して、開口部５５の周辺に固着させる。これにより、開口部５５を塞ぐことができ、気密性の高い状態での収音が可能となる。
【０１０６】
なお、図２６、図２７では、閉塞部６９を用いた縦配置、及び横配置において、接着剤９５を用いているが、閉塞部６９を用いずに、接着剤９５のみによって、開口部５５を閉塞するようにしてもよい。
【０１０７】
実施の形態２．
本実施の形態２では、イヤーチップの構成が実施の形態１と異なっている。具体的には実施の形態１では、イヤーチップ５０、５０Ａがシリコーン樹脂などで一体に形成されたのに対して、実施の形態２では、イヤーチップが２つ以上の樹脂成形品を用いて構成されている。実施の形態２では、縦配置のイヤーチップをイヤーチップ５０Ｂとし、横配置のイヤーチップをイヤーチップ５０Ｃとして説明する。なお、実施の形態１と同様の構成については、適宜説明を省略する。
【０１０８】
［縦配置の構成］
図２８は縦配置でのイヤーチップ５０Ｂを示す図である。イヤーチップ５０Ｂは、当接部７１が、実施の形態１で示したイヤーチップ５０の当接部５２と異なっている。つまり、当接部５２の代わりに、当接部７１が設けられており、連結部５８が省略されている。円筒部５１、及び支柱部６１は実施の形態１と同様の構成となっている。すなわち、円筒部５１、及び支柱部６１は、シリコーン樹脂などにより一体的に形成されている。実施の形態１と同様に、円筒部５１は、開口部５５を有しており、支柱部６１は、マイクホール６３、及び収容部６２を有している。また、マイク素子９１の取付についても、実施の形態１と同様の構成となっている。
【０１０９】
本実施の形態では、当接部７１が弾性を有するウレタン樹脂によって形成されている。そして、当接部７１は円筒状に形成されている。つまり、当接部７１はウレタンチューブによって形成されている。円筒部５１は当接部７１とは別体として形成された樹脂成形品である。当接部７１の内側に円筒部５１が挿入されている。つまり、イヤーチップ５０Ｂは、シリコーン樹脂とウレタン樹脂との２層構造の円筒形状となっている。つまり、シリコーンチューブである円筒部５１が、ウレタンチューブである当接部７１に挿入されている。Ｚ方向における当接部７１と円筒部５１との長さは等しくなっている。
【０１１０】
イヤーチップ５０Ｂは、外耳道に圧入される。つまり、ウレタン樹脂により形成された当接部７１の弾性力によって、外耳道内でイヤーチップ５０Ｂが固定される。ケーブル９３は、当接部７１と円筒部５１との間の層間を通って、外耳道の外側に引き出されている。例えば、当接部７１と円筒部５１とは、接着剤に接着されていてもよい。
【０１１１】
図２９に、縦配置でマイク素子９１を取り付ける様子を示す。実施の形態１の図４と同様に、開口部５５からマイク素子９１を挿入して、収容部６２にマイク素子９１を収容する。このとき、ケーブル９３は、開口部５５から円筒部５１の外側に引き出されている。そして、円筒部５１を当接部７１内に挿入する（矢印Ａ５）。円筒部５１を当接部７１に嵌め込むことで、マイク２Ｌが完成する。なお、円筒部５１の外周面、または当接部７１の内周面に接着剤を塗布して、円筒部５１と当接部７１とを固着してもよい。
【０１１２】
［横配置の構成］
次に、図３０を用いて、横配置でのイヤーチップ５０Ｃを示す図である。イヤーチップ５０Ａの当接部５２の代わりに、当接部７１が設けられており、連結部５８が省略されている。イヤーチップ５０Ｃでは、当接部７１が、縦配置のイヤーチップ５０Ｂと同様に、弾性を有するウレタン樹脂によって形成されている。イヤーチップ５０Ｂの当接部７１と同様に、当接部７１は、円筒状のウレタンチューブによって形成されている。当接部７１の中に、円筒部５１が挿入されている。
【０１１３】
円筒部５１、及び保持部６６は実施の形態１と同様の構成となっている。すなわち、円筒部５１、及び保持部６６は、シリコーン樹脂などにより一体的に形成されている。実施の形態１と同様に、円筒部５１は、開口部５５を有しており、保持部６６は、マイクホール６８、及び収容部６７を有している。また、マイク素子９１の取付についても、実施の形態１と同様の構成となっている。
【０１１４】
図３１に、横配置で、マイク素子９１を取り付ける様子を示す。実施の形態１の図６と同様に、開口部５５からマイク素子９１を挿入して、収容部６２にマイク素子９１を収容する。このとき、ケーブル９３は、開口部５５から円筒部５１の外側に引き出されている。そして、円筒部５１を当接部７１内に挿入する（矢印Ａ６）。円筒部５１を当接部７１に嵌め込むことで、マイク２Ｌが完成する。なお、円筒部５１の外周面、または当接部７１の内周面に接着剤を塗布して、円筒部５１と当接部７１とを固着してもよい。
【０１１５】
実施の形態２で示した縦配置又は横配置の構成によっても、実施の形態１と同様の効果を得ることができる。ケーブル９３が当接部７１と円筒部５１との間を通っているため、ケーブル９３の引き回しによる影響を抑制することができ、適切に収音することができる。また、被測定者１の外耳道の大きさに応じて、イヤーチップ５０Ｂ、イヤーチップ５０Ｃを切替えて測定を行うことができる。よって、適切な位置に、マイク素子９１を配置した状態で、個人特性を測定することができる。
【０１１６】
［変形例１］
変形例１について、図３２を用いて説明する。図３２は、変形例１にかかるマイク２Ｌの構成を示す図である。図３２は、縦配置におけるイヤーチップ５０Ｂの変形例を示している。円筒部５１等の基本的な構造については実施の形態１、２と同様であるため、適宜説明を省略する。
【０１１７】
変形例１では、当接部７１と、円筒部５１とのＺ方向における長さが異なっている。具体的には、Ｚ方向において、円筒部５１が当接部７１よりも短くなっている。＋Ｚ側において、円筒部５１と当接部７１の端面の位置が一致している。また、円筒部５１の外周面には突起５１ｃが設けてられている。突起５１ｃは、当接部７１の凹部と係合している。これにより、円筒部５１と当接部７１とが固定されている。
【０１１８】
さらに、円筒部５１の−Ｚ側には外部側円筒部７２が設けられている。外部側円筒部７２は、円筒部５１と同じ外径を有する円筒状になっている。外部側円筒部７２は、シリコーンチューブ又はビニールチューブである。−Ｚ側において、外部側円筒部７２と当接部７１との端面の位置が一致している。
【０１１９】
Ｚ方向において、外部側円筒部７２は、円筒部５１と離間して設けられている。従って、外部側円筒部７２と円筒部５１との間には径方向外側に窪んだ凹部７４が形成されている。この凹部７４に、イヤホンドライバ８０の先端部８５を配置して、イヤホンドライバ８０を係止してもよい。外部側円筒部７２には、凸部５３が設けられていない。
【０１２０】
当接部７１と円筒部５１との間に中間層７５が設けられている。中間層７５は、当接部７１とは別体として形成されたウレタンチューブである。従って、円筒部５１の外側では、ウレタンチューブが２層構造となっている。つまり、中間層７５が内層のウレタンチューブとなり、当接部７１が外層のウレタンチューブとなっている。中間層７５は、Ｚ方向において、当接部７１と同じ長さとなっている。よって外部側円筒部７２の外側にも中間層７５が配置されている。
【０１２１】
そして、ケーブル９３が当接部７１と中間層７５との層間を通って、外部に引き出されている。この場合、円筒部５１だけでなく、中間層７５にも開口部５５が形成される。換言すると、円筒部５１に中間層７５を取り付けた後、当接部７１を取り付ける前に、マイク素子９１が取り付けられる。つまり、中間層７５の外側から開口部５５を介して、マイク素子９１が収容部６２に挿入される。
【０１２２】
この構成によっても、上記と同様の効果を得ることができる。なお、図３２では、縦配置の構成を示したが、横配置においても同様に変形例１の構成を取ることができる。例えば、横配置においても、円筒部５１と当接部７１との間に、中間層７５を設けてもよい。あるいは、横配置においても、円筒部５１の−Ｚ側に外部側円筒部７２を配置してもよい。
【０１２３】
［変形例２］
変形例２では、ケーブル９３の引き出す構成が実施形態、及び変形例１と異なっている。実施の形態２の変形例２にかかるマイク２Ｌの構成について、図３３を用いて説明する。図３３では、円筒部５１と中間層７５とに開口部５５が設けられていない。
【０１２４】
マイク素子９１から引き出されたケーブル９３は、円筒部５１の＋Ｚ側の端面よりも＋Ｚ側の空間を通って、円筒部５１と当接部７１との層間に引き回されている。そして、円筒部５１と当接部７１と層間を通って、ケーブル９３が外部に引き出されている。この構成によっても、上記と同様の効果を得ることができる。図３３では、横配置の構成を示したが、縦配置においても同様に変形例２の構成を取ることができる。さらに、変形例２の構成においても、円筒部５１と当接部７１との間に中間層７５を設けて、ケーブル９３を中間層７５と当接部７１との層間を通すようにしてもよい。
【０１２５】
［収音方法］
実施の形態１、２で示した構成を有するマイク２Ｌ、２Ｒを用いた収音方法について説明する。外耳道伝達特性を測定するためにマイク２Ｌ、２Ｒにイヤホンドライバ８０を取り付けていない状態として、被測定者１がマイク２Ｌ、２Ｒを装着する。そして、図２に示したように、外部音源となるスピーカ５Ｌ，５Ｒから出力された音を、マイク素子９１が収音する。これにより、インパルス応答測定が実施され、空間音響伝達特性を取得することができる。
【０１２６】
次に、マイク２Ｌ、２Ｒにイヤホンドライバ８０を取り付けた状態として、被測定者１が収音装置４を装着する。そして、音源となるイヤホンドライバ８０から出力された音を、マイク素子９１が収音する。これにより、インパルス応答測定が実施され、外耳道伝達特性を取得することができる。なお、空間音響伝達特性と外耳道伝達特性の測定順番は反対であってもよい。
【０１２７】
上記のマイク２Ｌ、２Ｒを用いることで、個人特性を適切に測定することができるため、フィルタ生成装置２００が適切なフィルタを生成することができる。そして、イヤホンドライバ８０が取り付けられた受聴用のイヤーチップをユーザが装着することで、頭外定位受聴を行うことができる。受聴用のイヤーチップとしては、支柱部６１や保持部６６が設けられていない一般的な形状のものを用いることができる。個人測定結果に応じたフィルタを用いて頭外定位処理することが可能となる。
【０１２８】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【０１２９】
５０  イヤーチップ
５０Ａ  イヤーチップ
５０Ｂ  イヤーチップ
５１  円筒部
５２  当接部
５３  凸部
５４  中空部
５５  開口部
５７  間隙
５８  連結部
５９  閉塞部
６１  支柱部
６２  収容部
６３  マイクホール
６６  保持部
６７  収容部
６８  マイクホール
６９  閉塞部
７１  当接部
７２  外部側円筒部
７４  凹部
７５  中間層
８０  イヤホンドライバ
８２  音筒部
８３  ドライバケーブル
８５  先端部
８６  基部
９１  マイク素子
９２  収音部
９３  ケーブル
Ｚ０  中心軸
【図１】
2019186590.tif 000003
【図２】
2019186590.tif 000004
【図３】
2019186590.tif 000005
【図４】
2019186590.tif 000006
【図５】
2019186590.tif 000007
【図６】
2019186590.tif 000008
【図７】
2019186590.tif 000009
【図８】
2019186590.tif 000010
【図９】
2019186590.tif 000011
【図１０】
2019186590.tif 000012
【図１１】
2019186590.tif 000013
【図１２】
2019186590.tif 000014
【図１３】
2019186590.tif 000015
【図１４】
2019186590.tif 000016
【図１５】
2019186590.tif 000017
【図１６】
2019186590.tif 000018
【図１７】
2019186590.tif 000019
【図１８】
2019186590.tif 000020
【図１９】
2019186590.tif 000021
【図２０】
2019186590.tif 000022
【図２１】
2019186590.tif 000023
【図２２】
2019186590.tif 000024
【図２３】
2019186590.tif 000025
【図２４】
2019186590.tif 000026
【図２５】
2019186590.tif 000027
【図２６】
2019186590.tif 000028
【図２７】
2019186590.tif 000029
【図２８】
2019186590.tif 000030
【図２９】
2019186590.tif 000031
【図３０】
2019186590.tif 000032
【図３１】
2019186590.tif 000033
【図３２】
2019186590.tif 000034
【図３３】
2019186590.tif 000035